(57)【要約】      （修正有）【課題】施設の専有部に系統毎に分けて設置された無線式感知器の試験を、点検員が出入り自在な共用部での操作により系統単位及び系統を超えて簡単に行うことを可能とする無線防災システムを提供する。【解決手段】無線防災システムは、監視区域に系統毎に設置された無線式感知器14から送信された火災電文を系統中継器12-1〜12-3で受信し、系統伝送線16を介して受信機10に電文を送信して火災を報知する。系統中継器からは試験用配線端子15-1〜15-3が施設の共用部に引き出され、施設の専有部に入ることなく、試験用配線端子の何れかに試験装置20を接続して試験系統と感知器ＩＤを指定した試験電文を系統中継器に送信して、その系統に属する無線式感知器の試験を行う。更に、試験装置は、受信機を経由して他系統の系統中継器に試験信号を送信して、他系統の系統中継器に属する無線式感知器の試験を行う。【選択図】図１
2020135782.tif 000002
【特許請求の範囲】
【請求項１】
監視区域に設置された無線式感知器から無線送信された所定の火災情報信号を系統中継器で受信して処理し、当該系統中継器の処理結果を受信機に送信して報知する無線防災システムに於いて、
前記系統中継器に有線接続された試験装置接続手段と、
前記試験装置接続手段に接続して試験信号を前記系統中継器に送信し、当該系統中継器から前記試験信号を前記無線式感知器に無線送信して試験を行わせる試験装置と、
が設けられたことを特徴とする無線防災システム。
【請求項２】
監視区域に複数の系統毎に分けて設置された無線式感知器から無線送信された所定の火災情報信号を前記系統毎に設けられた系統中継器で受信して処理し、当該系統中継器の処理結果を、信号線を介して受信機に送信して報知する無線防災システムに於いて、
前記系統中継器の各々に有線接続された試験装置接続手段と、
前記試験装置接続手段の何れかに接続して試験信号を前記系統中継器に送信し、当該系統中継器から前記試験信号を当該系統中継器に属する系統の前記無線式感知器に送信して試験を行わせる試験装置と、
が設けられ、
前記試験装置は、更に、前記試験信号を他の系統の前記系統中継器に送信し、当該系統中継器から前記試験信号を当該系統中継器に属する前記他の系統の前記無線式感知器に送信して試験を行わせることを特徴とする無線防災システム。
【請求項３】
請求項２記載の無線防災システムに於いて、
前記試験装置は、前記試験装置接続手段が引き出された前記系統中継器から前記受信機を経由して他の系統の前記系統中継器に前記試験信号を送信し、当該系統中継器から前記試験信号を当該系統中継器に属する前記他の系統の前記無線式感知器に送信して試験を行わせることを特徴とする無線防災システム。
【請求項４】
請求項２記載の無線防災システムに於いて、
前記各系統の前記系統中継器は信号線により相互に接続され、
前記試験装置は、前記試験装置接続手段が引き出された前記系統中継器から前記信号線を介して他の系統の前記系統中継器に前記試験信号を送信し、当該系統中継器から前記試験信号を当該系統中継器に属する前記他の系統の前記無線式感知器に送信して試験を行わせることを特徴とする無線防災システム。
【請求項５】
請求項２乃至４の何れかに記載の無線防災システムに於いて、
前記無線式感知器及び前記系統中継器は、所定の利用者が出入り可能な前記警戒区域の専有部に前記系統毎に分けて設置され、
前記各系統の前記系統中継器から引き出された前記試験装置接続手段は、前記利用者以外も出入り可能な前記警戒区域の共用部に設置されたことを特徴とする無線防災システム。
【請求項６】
請求項５記載の無線防災システムに於いて、前記各系統の前記系統中継器から引き出された前記試験装置接続手段は、前記各系統に分けて前記共用部に個別設置されるか、又は、前記共用部の所定箇所にまとめて設置されることを特徴とする無線防災システム。
【請求項７】
請求項２記載の無線防災システムに於いて、
前記系統中継器は、前記無線式感知器から受信した試験結果を試験履歴情報として記憶し、
前記試験装置は、前記系統中継器から前記試験履歴情報を読み出して処理することを特徴とする無線防災システム。
【発明の詳細な説明】
【技術分野】
【０００１】
本発明は、警戒区域に系統毎に分けて設置された無線式感知器から無線送信された電文を、系統中継器を経由して受信機に伝送して警報させる無線防災システムに関する。
【背景技術】
【０００２】
従来、火災を監視する無線式の防災監視システムにあっては、ビルの各フロアや共同住宅の専有部といった警戒区域に複数の無線式感知器を例えばフロア単位といった系統別に設置し、無線式感知器で火災を検出した場合に、火災を示す電文を系統別に設置した系統中継器に無線送信する。また、伝搬距離が長くなる場合は、必要に応じて電波中継器を設置し、無線式感知器からの電文を電波中継器により中継して系統中継器に送信している。
【０００３】
系統中継器は受信機からの感知器回線に接続されており、無線式感知器から火災を示す電文を受信すると、リレー接点やスイッチング素子のオンにより感知器回線に発報電流を流して火災発報信号を受信機に送信する。受信機は、この火災発報信号を受信すると、音響及び表示等の手段により火災警報を出す。
【０００４】
このような無線防災システムによれば、一般的に天井裏等に敷設される感知器回線の一部を不要にでき、配線工事が簡単になり、感知器の設置場所も配線等の制約を受けずに決めることができる。また、感知器増設等のシステム変更にも容易に対応できる。
【先行技術文献】
【特許文献】
【０００５】
【特許文献１】特開２０１０−１１４６３２号公報
【特許文献２】特開２０１６−１１０４１０号公報
【発明の概要】
【発明が解決しようとする課題】
【０００６】
ところで、このような無線防災システムにあっては、定期点検の際に、無線式感知器が設置された宅内等の専有部に入り、試験器を使用して無線式感知器のセンサ部に加熱や加煙を行って発報試験を行う必要があるが、施設によっては、利用者の了解や立ち合いがなければ無線式感知器が設置された専有部に入ることができない場合がある。
【０００７】
この問題を解決するため、無線式の試験装置を準備し、専有部に設置されている系統中継器に試験信号を無線送信し、系統中継器から専有部に設置されている無線式感知器に試験信号を無線送信して遠隔試験を行うことが考えられる。
【０００８】
しかしながら、系統中継器も例えば外壁等で仕切られた専有部に設置されている場合が少なくない。そのため定期点検の際に共用部に入って試験装置から試験信号を無線送信しても、外壁等で仕切られた専有部に設置された系統中継器に試験信号の電波が届きにくい場合があり、試験信号の電波が確実に届くようにするためには、例えば試験装置の送信電力を高くする必要がある。しかし、一般的に無線防災システムは、無線局の認可を必要としない特定小電力無線局を使用していることから、送信電力（空中線電力）は１０ｍＷ以下に制限され、試験信号の電波が確実に届くことを保証できない可能性が残る。
【０００９】
更に、系統中継器及び無線式感知器は、例えばフロア単位といった系統別に設置されており、フロアを移動しながら無線式の試験装置を用いて系統別に設けられた無線式感知器の試験を行う必要があり、無線防災システムの点検に手間と時間がかかる問題もある。
【００１０】
本発明は、施設の専有部に系統毎に分けて設置された無線式感知器の試験を、試験作業者（点検員）が出入り自在な共用部での操作により系統単位及び系統を超えて簡単に行うことを可能とする無線防災システムを提供することを目的とする。
【課題を解決するための手段】
【００１１】
（無線防災システム１）
本発明は、監視区域に設置された無線式感知器から無線送信された所定の火災情報信号を系統中継器で受信して処理し、当該系統中継器の処理結果を受信機に送信して報知する無線防災システムに於いて、
系統中継器に有線接続された試験装置接続手段と、
試験装置接続手段に接続して試験信号を系統中継器に送信し、当該系統中継器から試験信号を無線式感知器に無線送信して試験を行わせる試験装置と、
が設けられたことを特徴とする。
【００１２】
（無線防災システム２）
本発明の別の形態にあっては、監視区域に複数の系統毎に分けて設置された無線式感知器から無線送信された所定の火災情報信号を系統毎に設けられた系統中継器で受信して処理し、当該系統中継器の処理結果を受信機に送信して報知する無線防災システムに於いて、
系統中継器の各々に有線接続された試験装置接続手段と、
試験装置接続手段の何れかに接続して試験信号を系統中継器に送信し、当該系統中継器から試験信号を当該系統中継器に属する系統の無線式感知器に送信して試験を行わせる試験装置と、
が設けられ、
試験装置は、更に、試験信号を他の系統の系統中継器に送信し、当該系統中継器から試験信号を当該系統中継器に属する他の系統の無線式感知器に送信して試験を行わせることを特徴とする。
【００１３】
（受信機を経由した他系統の試験）
試験装置は、試験装置接続手段が引き出された系統中継器から受信機を経由して他の系統の系統中継器に試験信号を送信し、当該系統中継器から試験信号を当該系統中継器に属する他の系統の無線式感知器に送信して試験を行わせる。
【００１４】
（系統中継器間を経由した他系統の試験）
各系統の系統中継器は信号線により相互に接続され、
試験装置は、試験装置接続手段が引き出された系統中継器から信号線を介して他の系統の系統中継器に試験信号を送信し、当該系統中継器から試験信号を当該系統中継器に属する他の系統の無線式感知器に送信して試験を行わせる。
【００１５】
（無線式感知器と試験装置接続手段の設置場所）
無線式感知器及び系統中継器は、所定の利用者が出入り可能な警戒区域の専有部に系統毎に分けて設置され、
各系統の系統中継器から引き出された試験装置接続手段は、利用者以外も出入り可能な警戒区域の共用部に設置される。
【００１６】
（試験装置接続手段の設置場所）
各系統の系統中継器から引き出された試験装置接続手段は、各系統に分けて共用部に個別設置されるか、又は、共用部の所定箇所にまとめて設置される。
【００１７】
（試験履歴情報）
系統中継器は、無線式感知器から受信した試験結果を試験履歴情報として記憶し、
試験装置は、系統中継器から試験履歴情報を読み出して処理する。
【発明の効果】
【００１８】
（無線防災システム１の効果）
本発明は、監視区域に設置された無線式感知器から無線送信された所定の火災情報信号を系統中継器で受信して処理し、当該系統中継器の処理結果を受信機に送信して報知する無線防災システムに於いて、系統中継器に有線接続された試験装置接続手段と、試験装置接続手段に接続して試験信号を系統中継器に送信し、当該系統中継器から試験信号を無線式感知器に無線送信して試験を行わせる試験装置とが設けられたため、試験装置を系統中継器から引き出された試験装置接続手段に接続することで、系統中継器の設置場所が外壁等で仕切られていても、外部の試験装置から系統中継器に試験信号を送信し、系統毎に無線式感知器の遠隔試験を確実に行うことができる。
【００１９】
（無線防災システム２の効果）
本発明の別の形態にあっては、監視区域に複数の系統毎に分けて設置された無線式感知器から無線送信された所定の火災情報信号を系統毎に設けられた系統中継器で受信して処理し、当該系統中継器の処理結果を受信機に送信して報知する無線防災システムに於いて、系統中継器の各々に有線接続された試験装置接続手段と、試験装置接続手段の何れかに接続して試験信号を系統中継器に送信し、当該系統中継器から試験信号を当該系統中継器に属する系統の無線式感知器に送信して試験を行わせる試験装置と、が設けられ、試験装置は、更に、試験信号を他の系統の系統中継器に送信し、当該系統中継器から試験信号を当該系統中継器に属する他の系統の無線式感知器に送信して試験を行わせるようにしたため、前述した無線防災システム１の効果に加え、試験装置から他の系統の系統中継器に試験信号を送信して他系統の無線式感知器の遠隔試験を行うこともでき、系統中継器と無線式感知器が例えばフロア別に設置されていても、フロアを移動することなく、１個所から全ての系統の試験を行うことが可能となり、無線防災システムの定期点検を効率良く進めることができる。
【００２０】
（受信機を経由した他系統の試験の効果）
また、試験装置は、試験装置接続手段が引き出された系統中継器から受信機を経由して他の系統の系統中継器に試験信号を送信し、当該系統中継器から試験信号を当該系統中継器に属する他の系統の無線式感知器に送信して試験を行わせるようにしたため、受信機と各系統の系統中継器を接続している信号線を利用して、試験装置により他系統の試験を行うことができる。
【００２１】
（系統中継器間を経由した他系統の試験の効果）
また、各系統の系統中継器は信号線により相互に接続され、試験装置は、試験装置接続手段が引き出された系統中継器から信号線を介して他の系統の系統中継器に試験信号を送信し、当該系統中継器から試験信号を当該系統中継器に属する他の系統の無線式感知器に送信して試験を行わせるようにしたため、各系統の系統中継器を信号線で相互に接続することで、試験装置により他系統の試験を行うことができる。
【００２２】
（無線式感知器と試験用配線端子の設置場所の効果）
また、無線式感知器及び系統中継器は、所定の利用者が出入り可能な警戒区域の専有部に系統毎に分けて設置され、各系統の系統中継器から引き出された試験装置接続手段は、利用者以外も出入り可能な警戒区域の共用部に設置されたため、系統中継器及び無線式感知器は外壁等で仕切られた専有部に設置されていても、系統中継器から引き出された試験装置接続手段は専有部の外の共用部に設置されており、点検員は利用者の許可や立ち合いを必要とすることなく、共用部に出向いて試験装置を試験装置接続手段を介して系統中継器に接続することで、試験装置を接続した系統中継器の系統及び他の系統に属する無線式感知器の試験を効率良く行うことができる。
【００２３】
（試験装置接続手段の設置場所の効果）
また、各系統の系統中継器から引き出された試験装置接続手段は、各系統に分けて共用部に個別設置されるか、又は、共用部の所定箇所にまとめて設置されたため、フロアを移動しながら共用部に設置された試験装置接続手段に試験装置を接続して系統単位の試験ができ、また、例えば１階共用部といった所定の箇所に各系統の系統中継器から引き出された試験装置接続手段をまとめて設置しておくことで、フロアを移動することなく試験装置を接続して系統単位の試験を１個所で効率良く行うことができる。
【００２４】
（試験履歴情報の効果）
また、系統中継器は、無線式感知器から受信した試験結果を試験履歴情報として記憶し、試験装置は、系統中継器から試験履歴情報を読み出して処理するようにしたため、システムの定期点検における無線式感知器の試験結果や系統中継器の状況等の試験履歴情報を簡単に収集して活用することができる。
【図面の簡単な説明】
【００２５】
【図１】本発明による無線防災システムの概要を示した説明図
【図２】無線式感知器の機能構成を示したブロック図
【図３】系統中継器の機能構成を示したブロック図
【図４】受信機の機能構成を示したブロック図
【図５】試験装置の機能構成を示したブロック図
【図６】試験用配線端子を一ヶ所にまとめて設置した無線防災システムの概要を示した説明図
【図７】受信機を経由せず他系統の試験を行う無線防災システムの概要を示した説明図
【図８】系統中継器の試験用配線端子に試験装置を無線回線によりリンクする実施形態を示した説明図
【図９】系統中継器の試験用配線端子に試験装置を無線回線によりリンクする他の実施形態を示した説明図
【発明を実施するための形態】
【００２６】
［実施形態の基本的な概念］
図１は本発明による無線防災システムの概要を示した説明図である。本発明の無線防災システムの実施形態による基本概念は、監視区域となる例えば建物１１に例えば階別となる所定の系統毎に分けて設置された１又は複数の無線式感知器１４から無線送信された電文信号（以下、単に「電文」という）を系統毎に設けられた系統中継器１２−１〜１２−３で受信して処理し、系統中継器１２−１〜１２−３の処理結果を、系統伝送線１６を介して受信機１０に送信して報知する無線防災システムであって、系統中継器１２〜１２−３から試験装置接続手段として機能する試験用配線端子１５−１〜１５−３が有線で引き出されて建物１１の共用部１１ｂ−１〜１１ｂ−３に設置され、試験用配線端子１５−１〜１５−３の何れか、例えば試験用配線端子１５−１に試験装置２０を接続した状態で試験装置２０から試験信号を系統中継器１２−１に送信し、系統中継器１２−１から系統中継器１２−１が属する系統（その管轄する系統）となる１Ｆの専有部１１ａ−１に設置された無線式感知器１４に試験信号を送信して試験を行わせる、というものである。
【００２７】
このように、試験装置２０を系統中継器１２−１〜１２−３から引き出された試験用配線端子１５−１〜１５−３に接続することで、系統中継器１２−１〜１２−３が外壁等で仕切られた専有部１１ａ−１〜１１ａ−３に設置されていても、試験装置２０から系統中継器１２−１〜１２−３に試験信号を送信し、系統毎に無線式感知器の遠隔試験を確実に行うことができる。
【００２８】
更に、試験装置２０は、系統中継器１２−１から受信機１０を介して試験信号を他の系統となる例えば２Ｆの系統中継器１２−２に送信して、他の系統となる２Ｆの専有部１１ａ−２に設置された無線式感知器１４の試験を行わせる、というものである。
【００２９】
このため系統中継器１２−１〜１２−３と無線式感知器１４が階別の系統に分かれて設置されていても、試験用配線端子１５−１〜１５−３の何れかに試験装置２０を接続することで、点検員はフロアを移動することなく、１個所から全ての系統の試験を行うことが可能となり、無線防災システムの定期点検を効率良く進めることができる。以下詳細に説明する。
【００３０】
［無線防災システムの概要］
図１に示すように、監視対象となる建物１１の１Ｆ〜３Ｆの各階は、入居者等の所定の利用者が出入りする（無線防災システムの点検員が許可なく出入りできない）、外壁等で囲まれた専有部１１ａ−１〜１１ａ−３と、所定の利用者以外の出入りも可能とする（無線防災システムの点検員が必要に応じ任意に出入りできる）外壁外側の廊下等の共用部１１ｂ−１〜１１ｂ−３に分けられており、専有部１１ａ−１〜１１ａ−３には階別の系統に分けて系統中継器１２−１〜１２−３が設置され、受信機１０から引き出された系統伝送線１６及び共通の電源線１８に接続されている。
【００３１】
また、１Ｆ〜３Ｆの各階の専有部１１ａ−１〜１１ａ−３には、系統毎の系統中継器１２−１〜１２−３に対応して無線式感知器１４が設置されている。
【００３２】
以下の説明で系統中継器１２−１〜１２−３を区別する必要がない場合は、系統中継器１２という場合がある。なお、系統中継器１２に対し、距離が離れている無線式感知器１４からの電波の減衰による信号の不到達を防ぐために電波中継器（リピータ中継器）を設置する場合がある。
【００３３】
系統中継器１２−１〜１２−３及び無線式感知器１４のそれぞれには、自機の機器ＩＤを予め登録（記憶）している。無線式感知器１４は火災による煙濃度または温度が所定の閾値を超えた場合に火災イベントの発生と判断し、所定の火災情報信号として例えば火災を示す火災発報電文を間欠的に無線送信する。
【００３４】
系統中継器１２−１〜１２−３には、電文を受信して処理すべき同系統の無線式感知器１４の機器ＩＤを例えばメモリにテーブル情報として予め登録している。
【００３５】
このような系統中継器１２−１〜１２−３に対する機器ＩＤの登録により、系統中継器１２は無線式感知器１４からの電文を受信した際には、電文に含まれる送信元ＩＤ（電文送信元の無線式感知器１４の機器ＩＤ）と予め登録した機器ＩＤとを比較し、当該系統中継器１２に登録されているＩＤであれば有効な電文として処理することになる。
【００３６】
また、無線式感知器１４と系統中継器１２との間の無線通信は、日本国内の場合には例えば４００ＭＨｚ帯の特定小電力無線局の標準規格に従った無線通信を行っており、４２６．２５００ＭＨｚ〜４２６．８３７５ＭＨｚの１２．５ＫＨｚの帯域を持つ４８チャンネルの何れかの使用を可能とする。
【００３７】
そこで、系統中継器１２と無線式感知器１４には、４００ＭＨｚ帯の特定小電力無線局標準規格で使用可能な４８チャンネルの何れか１つを選択して使用するチャンネル周波数を設定する。この場合、チャンネル周波数は各階で同じにしても良いし、混信を避けるために例えば隣接する階では異なるチャンネル周波数を使用しても良い。
【００３８】
［無線式感知器］
図２は無線式感知器の機能構成を示したブロック図である。図２に示すように、無線式感知器１４は、感知器制御部２２、アンテナ２６を接続した無線通信部２４、センサ部２８、表示部３０、操作部３２及び電池電源３４を備える。
【００３９】
感知器制御部２２は、例えばＣＰＵ、メモリ、各種の入出力ポート等を備えたコンピュータ回路等とする。無線通信部２４は、日本国内の場合には、例えば４００ＭＨｚ帯の特定小電力無線局の標準規格に準拠して電文を間欠的に送信する。
【００４０】
無線通信部２４で送信する電文の形式は、例えばプリアンブル（位相修正データ）、送信元ＩＤ、電文種別、煙濃度や温度などのデータ及びエラーチェックコードで構成する。この内、電文種別は、例えばセンサ状態を示す電文、定期通報を示す電文、試験結果を示す電文などを表す。
【００４１】
また、無線通信部２４は、系統中継器１２から送信した電文を受信する。無線通信部２４で受信する電文は、送信電文と同じ形式であり、電文種別には、試験信号として機能する試験電文が含まれる。
【００４２】
センサ部２８は、例えば散乱光式の煙検出機構によって煙を検出して煙濃度に応じた煙検出信号を出力する。感知器制御部２２はこれに基づき火災を検出して火災発報制御をする。なお、センサ部２８にサーミスタ等の温度検出素子を設け、温度検出信号を感知器制御部２２へ出力して、これに基づき火災を検出するようにしても良い。表示部３０は火災を検出した場合に点灯する発報表示灯等を備える。操作部３２は登録スイッチ等を備える。
【００４３】
感知器制御部２２は、プログラムの実行により実現される機能であり、次の制御を行う。感知器制御部２２は、センサ部２８から出力される例えば煙濃度検出信号が所定の火災閾値を超えた場合に火災を検出し、火災を示す火災発報電文を生成し、無線通信部２４に指示して系統中継器１２に送信させる制御を行う（火災発報制御）。
【００４４】
また、感知器制御部２２は、無線通信部２４を介して自己ＩＤ（自己の機器ＩＤ）を指定した試験コマンドを含む試験電文を受信した場合、例えば火災検出状態を模擬する試験動作を行って試験発報し、試験発報に基づき火災を示す火災発報電文を生成し、無線通信部２４に指示して系統中継器１２に送信させる制御を行う。
【００４５】
また、感知器制御部２２は、火災復旧、障害といったイベントを検出した場合にも、検出したイベント内容を示す電文を生成し、無線通信部２４に指示して系統中継器１２に送信させる制御を行う。
【００４６】
［系統中継器］
図３は系統中継器の機能構成を示したブロック図である。図３に示すように、系統中継器１２は、中継制御部３６、アンテナ４０を接続した無線通信部３８、操作部４２、表示部４４、試験伝送部４６、系統伝送部４８及び電源部５０を備える。
【００４７】
中継制御部３６は、例えばＣＰＵ、メモリ、各種の入出力ポート等を備えたコンピュータ回路等とする。無線通信部３８は、日本国内の場合には、例えば４００ＭＨｚ帯の特定小電力無線局の標準規格に準拠して無線式感知器１４からの電文を受信すると共に試験装置２０との間で所定の通信規格に準じて電文を送受信する。無線通信部３８で無線式感知器１４から受信する電文の形式は、前述したように、例えばプリアンブル、送信元ＩＤ、通信種別、データ及びエラーチェックコードで構成する。
【００４８】
試験伝送部４６には共用部に設置された試験用配線端子１５（試験装置接続手段）が有線接続され、試験用配線端子１５に接続された試験装置２０との間で電文を送受信する。試験伝送部４６が試験装置２０との間で送受信する電文の形式は、例えばプリアンブル、送信元ＩＤ、送信先ＩＤ、コマンド、データ及びエラーチェックコードで構成し、試験装置２０からの受信電文には試験する系統（系統番号等）と感知器ＩＤ（無線式感知器１４の機器ＩＤ）を指定した試験電文があり、これが試験信号（試験コマンド）として機能する。一方、試験装置２０に対する送信電文には、無線式感知器１４に対する試験電文の送信に対応して受信された試験応答電文がある。
【００４９】
操作部４２は、自機ＩＤや自機が管轄すべき無線式感知器ＩＤ等を登録する登録スイッチ等を備え、中継制御に必要な各種の設定を行う。表示部４４には、電源灯、発報表示灯、障害灯等の各種の表示灯を設けている。なお、各ＩＤの登録は、登録スイッチを使用する場合も使用しない場合も含め、任意の方法を採用できる。
【００５０】
系統伝送部４８は、例えばシリアル伝送機能を備え、無線式感知器１４から所定の火災情報信号、例えば火災発報電文を受信した場合は、中継制御部３６の指示に基づき、系統伝送線１６により火災発報電文を受信機１０に中継送信して火災警報を出力させ、また、中継器制御部３６で無線式感知器１４から故障等による所定の障害情報信号、例えば障害電文を受信した場合、又は無線式感知器１４との通信不良等の障害を検出した場合に、障害電文を受信機１０に送信することで障害警報を出力させる。
【００５１】
また、系統伝送部４８は、試験伝送部４６を介して試験用配線端子１５に接続した試験装置２０から他系統及び他系統の無線式感知器１４を指定した試験電文の受信を中継制御部３６で検出した場合、他系統及び他系統の無線式感知器１４を指定した試験電文を受信機１０に送信する。
【００５２】
中継制御部３６は、プログラムの実行により実現される機能であり、次の制御を行う。中継制御部３６は、無線通信部３８を介して自己系統の無線式感知器１４から火災発報電文を受信した場合、系統伝送部４８に指示して系統伝送線１６に火災発報電文を中継送信する制御を行い、受信機１０から火災警報を出力させる。なお、ここでの中継送信は、中継前後の電文が全く同一であることに限定されるものではない。
【００５３】
また、中継制御部３６は、無線式感知器１４から火災発報電文を受信した後に火災復旧電文を受信した場合、系統伝送部４８に指示して系統伝送線１６に火災復旧電文を中継送信する制御を行い、受信機１０の火災警報動作を復旧させる。
【００５４】
また、中継制御部３６は、無線通信部３８を介して無線式感知器１４から故障等に伴う障害電文を受信した場合、系統伝送部４８に指示して系統伝送線１６に障害電文を中継送信する制御を行い、受信機１０から障害警報を出力させる。
【００５５】
また、中継制御部３６は、試験伝送部４６を介して試験用配線端子１５に接続した試験装置２０から自己系統の感知器ＩＤを指定した試験電文を受信した場合、無線通信部３８に指示し、試験電文を自己系統の無線式感知器１４に送信する制御を行う。
【００５６】
また、中継制御部３６は、自己系統の感知器ＩＤを指定した試験電文を無線式感知器１４に送信した後に、無線通信部３８を介して試験正常を示す試験応答電文を受信した場合、系統伝送線１６を介して当該試験応答電文を受信機１０に中継送信する制御を行う。
【００５７】
また、中継制御部３６は、試験伝送部４６を介して試験用配線端子１５に接続した試験装置２０から他系統の感知器ＩＤを指定した試験電文を受信した場合、系統伝送部４８に指示し、他系統の感知器ＩＤを指定した試験電文を、受信機１０を経由して他系統の系統中継器１２に送信する制御を行う。
【００５８】
また、中継制御部３６は、自己系統の感知器ＩＤを指定した試験電文を送信した後、所定時間以内に試験正常を示す試験応答電文を受信した場合、試験伝送部４６に指示して当該試験応答電文を試験装置２０に中継送信する制御を行う。
【００５９】
また、中継制御部３６は、受信機１０を経由した他系統の系統中継器が送信した自己系統の感知器ＩＤを指定した試験電文を受信して無線通信部３８から送信した後、所定時間以内に試験正常を示す試験応答電文を受信した場合、系統伝送部４８に指示して当該試験応答電文を、受信機１０を経由して試験装置２０を接続している他系統の系統中継器に中継送信する制御を行う。
【００６０】
また、中継制御部３６は、自己系統の感知器ＩＤを指定した試験電文を送信した後、所定時間以内に試験正常を示す試験応答電文が受信されなかった場合、試験異常と判断し、試験伝送部４６に指示して試験異常を示す試験応答電文を試験装置２０に送信する制御を行う。
【００６１】
また、中継制御部３６は、受信機１０を経由して他系統の系統中継器が送信した自己系統の感知器ＩＤを指定した試験電文を受信して無線通信部３８から自己系統の無線式感知器１４へ試験電文を送信した後、所定時間以内に試験正常を示す試験応答電文が受信されなかった場合、試験異常と判断し、系統伝送部４８に指示して試験異常を示す試験応答電文を受信機１０を経由して試験装置２０を接続している他系統（試験指示元の系統）の系統中継器に中継送信する制御を行う。
【００６２】
なお、中継制御部３６は、自己系統の感知器ＩＤを指定した試験電文を無線式感知器１４に送信した後、所定時間内に受信した火災発報電文を、試験正常を示す試験応答電文として処理しても良い。また、系統伝送線１６は、火災、復旧、障害、試験、試験応答等で、伝送電文（情報）に応じて適宜別線に分けても良い。また、電源線１８は伝送線と共用しても良い。
【００６３】
［受信機］
図４は受信機の機能構成を示したブロック図である。受信機１０はいわゆるＲ型（Ｒｅｃｏｒｄ−ｔｙｐｅ）を例にとっており、図４に示すように、受信制御部５２、系統伝送部５４、表示部６２、操作部６４、音響警報部６６及び移報部６８を備える。
【００６４】
受信制御部５２は例えばＣＰＵ、メモリ、各種の入出力ポート等を備えたコンピュータ回路等とする。
【００６５】
系統伝送部５４は系統伝送線１６と電源線１８により系統中継器１２−１〜１２−３を接続しており、系統中継器１２−１〜１２−３からの火災発報電文や障害電文を受信して受信制御部５２に出力し、また、系統中継器１２−１〜１２−３からの他系統の感知器ＩＤを指定した試験電文の受信と送信（経由送信）、試験応答電文の受信と送信（経由送信）等を行う。
【００６６】
表示部６２は火災表示灯、ガス漏れ表示等が設けられる。操作部６４には火災監視に必要な火災断定スイッチ、音響停止スイッチ等の各種スイッチが設けられる。音響警報部６６にはスピーカが設けられ、火災発生時に音響警報を出力する。移報部６８は火災発生時に外部の機器に移報信号を出力して所定の動作等をさせる。
【００６７】
受信制御部５２は、系統伝送部５４を介して系統中継器１２から火災発報電文を受信した場合、表示部６２の火災代表灯を点灯し、音響警報部６６のスピーカから火災発生を示す所定の主音響警報を出力させ、また、表示部６２に例えば「○○階○○号室」といった火災発生系統と火災発生区画を示す火災地区表示を行い、更に、移報部６８により火災移報信号を外部に出力して所定の移報制御等を行わせる。
【００６８】
また、受信制御部５２は、系統伝送部５４を介して他系統とその感知器ＩＤを指定した試験電文を例えば系統中継器１２−１から受信した場合、系統伝送部５４に指示して他系統となる例えば系統中継器１２−２に試験電文を送信する制御を行う。
【００６９】
また、受信制御部５２は、系統伝送部５４を介して他系統とその感知器ＩＤを指定した試験電文を例えば系統中継器１２−２に送信した後に、系統中継器１２−２から試験応答電文を受信した場合、系統伝送部５４に指示して試験元となる系統中継器１２−１に試験応答電文を送信する制御を行う。
【００７０】
なお、系統中継器１２と受信機１０との間で送受信される試験電文と試験応答電文は、系統伝送線１６とは別に設けた伝送線を使用して伝送しても良い。また、受信機１０はいわゆるＰ型（Ｐｒｏｐｒｉｅｔａｒｙ−ｔｙｐｅ）としても良く、この場合には、前述したように、系統伝送線１６は、例えばＲ型の場合における伝送電文（情報）に応じて、火災、復旧、障害、試験、試験応答等の信号線に適宜分けられ、系統伝送部５４は信号線単位に火災、復旧、障害、試験、試験応答等の信号を伝送することになる。また、各情報のうち任意の複数の情報を共通の信号線で伝送することも妨げない。
【００７１】
［試験装置］
図５は試験装置の機能構成を示したブロック図である。図５に示すように、試験装置２０は、試験制御部７０、接続プラグ７４を接続した試験伝送部７２、操作部７６、表示部７８、記憶部８０、コネクタポート８４を介して外部装置を通信接続するＩ／Ｆ回路部８２、及び電源部８６を備える。
【００７２】
試験制御部７０は例えばＣＰＵ、メモリ、各種の入出力ポート等を備えたコンピュータ回路等とする。試験伝送部７２は接続プラグ７４により試験用配線端子１５を介して接続された系統中継器１２との間で無線式感知器１４の試験に必要な電文を例えばシリアル伝送により送受信する。
【００７３】
操作部７６には、試験開始スイッチ、系統指定スイッチ、ＩＤ指定スイッチ等の無線式感知器１４の試験に必要な各種のスイッチや操作釦等が設けられる。
【００７４】
表示部７８には例えばディスプレイが設けられ、操作部７６により設定される系統番号、感知器ＩＤ、試験結果等の無線式感知器１４の試験に必要な各種の情報が表示される。なお、表示部７８のディスプレイをタッチパネル付きとすることで、操作部７６の機能をもたせることができる。
【００７５】
記憶部８０は試験制御部７０により行われた無線感知器１４の試験結果として試験正常、試験異常に加え、例えば試験時に受信した電文の受信強度等を、試験履歴情報として記憶する。
【００７６】
Ｉ／Ｆ回路部８２は、コネクタポート８４を介して無線防災システムの製造元の管理サーバ等に接続し、試験装置２０の記憶部８０から読み出した無線式感知器１４の試験履歴情報を読み出して管理サーバ等に保存して利用するためのデータ伝送を行う。
【００７７】
電源部８６は電池電源を備えており、例えば携帯して使用する場合は電池電源により動作し、管理サーバ等に通信接続してデータ伝送する場合は、ＡＣアダプタ８８を接続して使用する。
【００７８】
試験制御部７０は、プログラムの実行により実現される機能であり、操作部７６により試験系統（系統番号等）とその感知器ＩＤを指定して試験スイッチを操作（試験開始操作）すると、試験伝送部７２に指示し、試験系統とその感知器ＩＤを指定した試験電文を接続プラグ７４により接続している試験用配線端子１５を介して系統中継器１２に送信する制御を行う。
【００７９】
また、試験制御部７０は、試験電文を送信した後に、接続プラグ７４により接続している試験用配線端子１５を介して系統中継器１２から試験応答電文を受信した場合、試験応答電文に含まれた試験結果である試験正常又は試験異常を表示部７８に表示すると共に試験履情報として記憶部８０に記憶する制御を行う。
【００８０】
［無線防災システムの試験］
点検時における図１の無線防災システムの試験を説明すると次のようになる。点検員は試験装置２０を携帯しており、例えば１Ｆの専有部１１ａ−１に設置された無線式感知器１４の試験を行う場合には、１Ｆの共用部１１ｂ−１に出向き、そこに設置されている試験用配線端子１５−１に試験装置２０をプラグ差し込みにより接続する。なお、無線防災システムの点検時に受信機１０は保守点検モードに切り替えており、火災発生を判断しても、主音響警報、地区音響警報、移報制御等は停止されている。これら受信機１０に対する保守点検モードへの切替も、試験装置２０から行うようにしても良い。
【００８１】
試験装置２０を試験用配線端子１５−１に接続した点検員は、例えば、１Ｆの専有部１１ａ−１に設置された無線式感知器１４を試験する場合には、試験装置２０で１Ｆの系統番号と最初に試験する無線式感知器１４の感知器ＩＤを設定し、試験スイッチを操作すると、試験系統と感知器ＩＤを指定した試験電文が信号線１７を介して系統中継器１２−１に送信される。
【００８２】
系統中継器１２−１は受信した試験電文の試験系統から自己系統であることを検出し、試験する感知器ＩＤを指定した試験電文を無線送信する。系統中継器１２−１から送信された試験電文はＩＤ一致となった無線式感知器１４で受信されることで例えば火災検出状態を模擬する試験動作により試験発報が行われ、試験正常を示す試験応答電文が送信される。
【００８３】
系統中継器１２−１は試験電文の送信から所定時間以内に試験発報した無線式感知器１４からの試験応答電文を受信すると、受信機１０に当該試験応答電文を中継送信して試験発報表示を行わせ、受信機１０についている点検員は、無線式感知器１４が正常に試験発報したことを確認する。
【００８４】
また、系統中継器１２−１は、試験電文の送信から所定時間内に試験発報による試験応答電文を受信すると、当該試験応答電文を試験用配線端子１５−１に接続している試験装置２０に中継送信し、試験装置２０に試験正常を示す試験結果が表示され、点検員は、指定した系統と感知器ＩＤの無線式感知器１４の試験が正常に行われ、結果正常であることを確認でき、次の無線式感知器１４の試験を行う。
【００８５】
なお、系統中継器１２−１は、試験電文の送信から所定時間内に試験応答電文を受信できないときは試験異常と判断し、試験異常を示す試験応答電文を試験用配線端子１５−１に接続している試験装置２０に中継送信して表示させる。
【００８６】
また点検員は、１Ｆの共用部１１ｂ−１の試験用配線端子１５−１に試験装置２０を接続した状態で、２Ｆ及び３Ｆの専有部１１ａ−２，１１ａ−３に設置されている無線式感知器１４の試験を行うことができる。
【００８７】
試験装置２０を試験用配線端子１５−１に接続している点検員が、例えば、２Ｆの専有部１１ａ−２に設置された無線式感知器１４を試験する場合には、試験装置２０で２Ｆの系統番号と最初に試験する無線式感知器１４の感知器ＩＤを設定し、試験スイッチを操作すると、試験する他系統と感知器ＩＤを指定した試験電文が信号線１７を介して系統中継器１２−１に送信される。
【００８８】
系統中継器１２−１は受信した試験電文から試験系統が２Ｆとなる他系統であることを検出し、試験系統と感知器ＩＤを指定した試験電文を受信機１０に中継送信する。この試験電文を受信した受信機１０は、試験系統となる２Ｆに設置された系統中継器１２−２に試験系統と感知器ＩＤを指定した試験電文を送信し、系統中継器１２−２から感知器ＩＤを指定した試験電文を送信し、ＩＤ一致となった無線式感知器１４で試験発報が行われ、火災発報電文が送信される。
【００８９】
系統中継器１２−２は試験電文の送信から所定時間以内に試験発報した無線式感知器１４からの試験正常を示す試験応答電文を受信すると、当該試験応答電文を受信機１０に中継送信して火災発報表示を行わせ、併せて、試験正常を示す当該試験応答電文を試験元となる系統中継器１２−１に送信し、系統中継器１２−１は試験正常を示す試験応答電文を試験用配線端子１５−１に接続している試験装置２０に送信し、試験装置２０に試験正常を示す試験結果が表示され、点検員は、指定した２Ｆとなる他系統と感知器ＩＤの無線式感知器１４の試験が正常に行われたことを確認できる。
【００９０】
［試験用配線端子を一ケ所にまとめた実施形態］
図６は試験用配線端子を一ヶ所にまとめて設置した無線防災システムの概要を示した説明図である。
【００９１】
図６に示すように、本実施形態にあっては、系統毎に設けられた系統中継器１２−１〜１２−３から引き出された信号線１７を１Ｆの共用部１１ｂ−１に設置された試験用配線端子１５に引き込んでおり、試験用配線端子１５には系統中継器１２−１〜１２−３に対応して３個の配線端子が設けられ、試験装置２０のプラグ差し込みの選択により、系統中継器１２−１〜１２−３の内の一つに試験装置２０を接続して系統別に無線式感知器１４の試験を行うことができる。それ以外の構成及び機能は、図１乃至図５に示した実施形態と同様である。
【００９２】
本実施形態によれば、点検員は系統中継器１２−１〜１２−３の試験用配線端子１４がまとめて設置された１Ｆの共用部１１ｂ−１において、他の階へ移動することなく全ての系統につき無線式感知器１４の試験ができ、試験の作業効率を更に高めることができる。
【００９３】
なお、試験用配線端子１５に端子を一つ設け、端子に対する系統中継器１２−１〜１２−３からの信号線をロータリースイッチ等により選択的に切替え接続するようにしても良い。
【００９４】
［系統中継器を経由した他系統の試験］
図７は受信機を経由せず他系統の試験を行う無線防災システムの概要を示した説明図である。
【００９５】
図７に示すように、本実施形態にあっては、１Ｆ〜３Ｆの系統に分けて設置した系統中継器１２−１〜１２−３をシリアル伝送用の系統伝送線９０を介して相互に接続しており、例えば、系統中継器１２−１から引き出された試験用配線端子１５−１に試験装置２０を接続した場合、他系統と感知器ＩＤを指定した試験電文を、受信機１０は経由せず、系統伝送線９０を介して試験先となる系統の系統中継器、例えば系統中継器１２−２に送信し、他系統の無線式感知器１４の試験を行うようにしている。それ以外の構成及び機能は、図１乃至図５に示した実施形態と同様になる。
【００９６】
［試験装置の無線リンク］
図８は系統中継器の試験用配線端子に試験装置を無線回線によりリンクする実施形態を示した説明図である。図８に示すように、本実施形態は、系統中継器１２に信号線１７を介して接続した試験用配線端子１５に無線アダプタ９２を信号線９４により接続しており、試験装置２０は無線通信機能を備え、無線アダプタ９２との間で試験に必要な電文を無線により送受信する。ここで、試験用配線端子１５と無線アダプタ９２とが試験装置接続手段を構成することになる。
【００９７】
無線アダプタ９２は、試験装置２０からの無線による試験電文を受信し、信号線９４、試験用配線端子１５及び信号線１７を介して系統中継器１２に送信する。また、系統中継器１２からの試験結果を示す試験応答電文が信号線１７、試験用配線端子１５及び信号線９４を介して無線アダプタ９２で受信され、これを試験装置２０に送信して試験結果を表示させる。
【００９８】
このように試験装置２０と系統中継器１２の間が無線アダプタ９２による無線回線でリンクされることで、試験装置２０の試験用配線端子１５に対する着脱が不要となり、無線アダプタ９２との通信可能エリアであれば、離れた場所からの試験装置２０の操作で無線感知器の遠隔試験を容易に行うことができる。
【００９９】
図９は系統中継器の試験用配線端子に試験装置を無線回線によりリンクする他の実施形態を示した説明図であり、図８に示した試験用配線端子１５を取り除き、系統中継器１２に信号線１７を介して無線アダプタ９２を接続している。このため試験用配線端子１５を必要としない分、構成が簡単となる。図９の場合には、無線アダプタ９２が試験装置接続手段となる。
【０１００】
［本発明の変形例］
（試験装置のアンテナ分離設置）
上記の実施形態は、系統中継器１２から引き出された試験用配線端子１５を共用部に設置して試験装置２０を接続するようにしているが、試験装置２０に無線通信部を設け、無線通信部のアンテナは、分離した状態で専有部に設置し、専有部に設置したアンテナから引き出された試験用アンテナ配線端子を共用部に設置し、試験時には、試験装置の無線通信部を共用部に設置された試験用アンテナ配線端子に接続し、専有部に設置している系統中継器１２との間で試験に必要な電文を無線により送受信して無線式感知器１４の試験を行うようにしても良い。
【０１０１】
（試験装置）
上記の実施形態は、専用の試験装置を使用して系統中継器にアクセスして無線式感知器を試験する場合を例にとっているが、系統中継器との通信機能を備えたタブレット端末等の適宜の携帯端末機器を利用するようにしても良い。
【０１０２】
また、試験装置は、試験する系統の無線式感知器を一斉に又は順次試験する一括指定ができるようにしても良いし、全系統の全感知器を一括に又は順次試験する一括試験できるようにしても良い。
【０１０３】
（無線式感知器）
また無線式感知器は、煙、熱を検知するもの以外に例えば炎やガスを検知するもの、又はこれらを組み合わせたものであっても良い。
【０１０４】
（その他）
また本発明はその目的と利点を損なうことのない適宜の変形を含み、更に上記の実施形態に示した数値による限定は受けない。
【符号の説明】
【０１０５】
１０：受信機
１１：建物
１１ａ−１〜１１ａ−３：専有部
１１ｂ−１〜１１ｂ−３：共用部
１２，１２−１〜１２−３：系統中継器
１４：無線式感知器
１５，１５−１〜１５−３：試験用配線端子
１６，９０：系統伝送線
１８：電源線
２０：試験装置
２２：感知器制御部
２４，３８：無線通信部
２６，４０：アンテナ
２８：センサ部
３０，４４，６２，７８：表示部
３２，４２，６４，７６：操作部
３４：電池電源
３６：中継制御部
４６：試験伝送部
４８，５４：系統伝送部
５２：受信制御部
７０：試験制御部
７２：試験伝送部
７４：接続プラグ
９２：無線アダプタ
【図１】
2020135782.tif 000003
【図２】
2020135782.tif 000004
【図３】
2020135782.tif 000005
【図４】
2020135782.tif 000006
【図５】
2020135782.tif 000007
【図６】
2020135782.tif 000008
【図７】
2020135782.tif 000009
【図８】
2020135782.tif 000010
【図９】
2020135782.tif 000011